(57)【要約】【課題】本発明は、フォトカプラに対してＮＰＮ型トランジスタ又はＰＮＰ型出力トランジスタの何れの出力も接続可能としてデジタル入力を容易化することを目的とする。【解決手段】本発明によるデジタル信号入力回路は、逆並列接続された一対の発光素子(D1,D2)を有するフォトカプラ(2)と、前記発光素子体(20)の一端側(3)に並列配置の第１、第２抵抗(6,21)を介して接続された電源電圧(Vcc)及びグランド(GND)と、前記発光素子体(20)の他端側(5)に接続された1個のみの入力端子(7)とを備え、前記入力端子(7)に対してＮＰＮ型出力トランジスタ(TR1)及びＰＮＰ型出力トランジスタ(TR2)の何れでも接続できるようにした構成である。【選択図】図２
2014086518.tif 000002
【特許請求の範囲】
【請求項１】
互いに極性が異なる状態で逆並列接続された一対の発光素子(D1,D2)からなる発光素子体(20)と、前記発光素子体(20)からの光を受光するための受光素子(1)と、からなるフォトカプラ(2)と、前記各発光素子体(20)の一端側(3)に並列接続された第１、第２抵抗(6,21)を介して共通接続された電源電圧(Vcc)及びグランド(GND)と、前記各発光素子体(20)の他端側(5)に接続された1個のみの共通の入力端子(7)と、よりなり、
前記入力端子(7)には、ＮＰＮ型出力トランジスタ(TR1)又はＰＮＰ型出力トランジスタ(TR2)からの各出力の何れも接続することができる構成であることを特徴とするデジタル信号入力回路。
【請求項２】
前記ＮＰＮ型及びＰＮＰ型出力トランジスタ(TR1,TR2)は、リミットスイッチの出力側に設けられていることを特徴とする請求項１記載のデジタル信号入力回路。
【発明の詳細な説明】
【技術分野】
【０００１】
本発明は、デジタル信号入力回路に関し、特に、フォトカプラの発光素子体の一方の端子に接続された１個のみの共通の入力端子を介して、ＮＰＮ型及びＰＮＰ型出力トランジスタの何れからの出力信号も入力できるようにするための新規な改良に関する。
【背景技術】
【０００２】
従来、用いられていたこの種のデジタル信号入力回路としては、例えば、特許文献１に開示されたプログラマブルコントローラにおいては、図示していないが、一対の逆並列の発光素子を用いた構成が提供されている。
また、特許文献等を開示していないが、一般に多用されているデジタル信号入力回路としては、図４〜図６で示される構成を挙げることができる。
【０００３】
図４は従来のデジタル信号入力回路を示す回路図であり、ＬＥＤからなる発光素子Ｄ１に対応してフォトダイオードからなる受光素子１が設けられ、前記発光素子Ｄ１と受光素子１とによってフォトカプラ２が構成されている。
【０００４】
前記発光素子Ｄ１の一端側３には第１入力端子４が接続され、前記他端側５には第１抵抗６を介して第２入力端子７が接続されている。
前述の図４のデジタル信号入力回路１０を用いる場合、例えば、図５で示されるように、前記第１入力端子４に電源電圧Ｖｃｃが接続され、前記第２入力端子７にはリミットスイッチ等の出力側のＮＰＮ型出力トランジスタＴＲ１のコレクタＣが接続され、エミッタＥはグランドＧＮＤに接続されて用いられる場合と、図６で示されるように、前記第１入力端子４にリミットスイッチ等のＰＮＰ型出力トランジスタＴＲ２のコレクタＣが接続され、前記第２入力端子７は電源電圧Ｖｃｃに接続されている。
【先行技術文献】
【特許文献】
【０００５】
【特許文献１】特開平７−３６３６８号公報
【発明の概要】
【発明が解決しようとする課題】
【０００６】
従来の特許文献１の構成の場合、入力側の電源の極性等の切り換えのために、スイッチ素子及びプログラマブルコントローラを必要とし、装置の大型化及びコストアップ化を避けることは困難であった。
【０００７】
また、前述の図４から図６に示された従来構成の場合、図５の構成では、ＮＰＮ型出力トランジスタＴＲ１は、信号がオンの時に出力がＧＮＤレベルになってフォトカプラ２がオンとなり、信号がオフの時は信号がオープン状態となってフォトカプラ２には電流が流れずオフとなる。
【０００８】
また、図６の構成では、ＰＮＰ型出力トランジスタＴＲ２は、信号がオンの時に出力が電源電圧Ｖｃｃ、例えば２４Ｖとなり、フォトカプラ２がオンとなる。
従って、前述のように、図５のＮＰＮ型出力トランジスタＴＲ１を用いる場合も、図６のように、ＰＮＰ型出力トランジスタを用いる場合も、何れも共通のデジタル信号入力回路１０を用いることができるようにするには、このデジタル信号入力回路１０の入力側には一対の入力端子が必ず必要となり、出力トランジスタの接合型の違いによってその接続構成を変更しなければならなかった。
【０００９】
本発明は、以上のような課題をなくすためになされたもので、特に、双方向受信型フォトカプラを用い、その発光素子体の一端側に抵抗を介して電源電圧とグランドを接続し、その他端側にのみ１個の入力端子を接続し、この入力端子にＮＰＮ型及びＰＮＰ型の出力トランジスタを接続することができるようにすることである。
【課題を解決するための手段】
【００１０】
本発明によるデジタル信号入力回路は、互いに極性が異なる状態で逆並列接続された一対の発光素子からなる発光素子体と、前記発光素子体からの光を受光するための受光素子と、からなるフォトカプラと、前記各発光素子体の一端側に並列接続された第１、第２抵抗を介して共通接続された電源電圧及びグランドと、前記各発光素子体の他端側に接続された1個のみの共通の入力端子と、よりなり、前記入力端子には、ＮＰＮ型出力トランジスタ又はＰＮＰ型出力トランジスタからの各出力の何れも接続することができる構成であり、また、前記ＮＰＮ型及びＰＮＰ型出力トランジスタは、リミットスイッチの出力側に設けられている構成である。
【発明の効果】
【００１１】
本発明によるデジタル信号入力回路は、以上のように構成されているため、次のような効果を得ることができる。
すなわち、互いに極性が異なる状態で逆並列接続された一対の発光素子からなる発光素子体と、前記発光素子体からの光を受光するための受光素子と、からなるフォトカプラと、前記各発光素子体の一端側に並列接続された第１、第２抵抗を介して共通接続された電源電圧及びグランドと、前記各発光素子体の他端側に第３抵抗を介して接続された1個のみの共通の入力端子と、よりなり、前記入力端子には、ＮＰＮ型出力トランジスタ又はＰＮＰ型出力トランジスタからの各出力信号の何れも接続することができる構成であることにより、何れの接合型の出力トランジスタの場合でも信号がオンの時はフォトカプラがオンとなり、信号がオフの時はフォトカプラがオフとなり、１個のみの入力端子しか必要でないため、構成が簡素化されてコネクタが安価となり、小型化が可能となる。
また、前記ＮＰＮ型及びＰＮＰ型出力トランジスタは、リミットスイッチの出力側に設けられていることにより、リミットスイッチ等の出力信号処理が容易となる。
【図面の簡単な説明】
【００１２】
【図１】本発明によるデジタル信号入力回路を示す回路図である。
【図２】図１の１個のみの入力端子にＮＰＮ型出力トランジスタが接続された場合を示す構成図である。
【図３】図１の１個のみの入力端子にＰＮＰ型出力トランジスタが接続された場合を示す構成図である。
【図４】従来のデジタル信号入力回路を示す回路図である。
【図５】図１の他の従来例を示す回路図である。
【図６】図１の他の従来例を示す回路図である。
【発明を実施するための形態】
【００１３】
本発明は、フォトカプラの発光素子体の一方の端子に接続された１個のみの共通の入力端子を介して、ＮＰＮ及びＰＮＰ型出力トランジスタの何れからの出力信号も入力できるようにしたデジタル信号入力回路を提供することを目的とする。
【実施例】
【００１４】
以下、図面と共に本発明によるデジタル信号入力回路の好適な実施の形態について説明する。
尚、従来例と同一又は同等部分については、同一符号を用いて説明する。
図１において、ＬＥＤからなる発光素子Ｄ１に対応してフォトダイオードからなる受光素子１が設けられ、前記発光素子Ｄ１には他の発光素子Ｄ２が並列に設けられ、前記各発光素子Ｄ１，Ｄ２により発光素子体２０が構成されている。
【００１５】
前記発光素子体２０の各発光素子Ｄ１，Ｄ２は、互いに極性が異なる状態で逆並列接続されており、この発光素子体２０の両端をなす一端側３と他端側５のうち、前記一端側３には、一対の第１抵抗６及び第２抵抗２１が互いに並列接続となるように接続され、前記第１抵抗６の入力端６ａには電源電圧Ｖｃｃが接続されていると共に、前記第２抵抗２１の入力端２１ａはグランドＧＮＤに接続されている。
前記発光素子体２０の他端側５には、１個のみの入力端子７が設けられている。
【００１６】
図２の構成は、図１のデジタル信号入力回路１０の前記入力端子７に対して、リミットスイッチ等の出力側に設けられたＮＰＮ型出力トランジスタＴＲ１のコレクタＣが接続され、このＮＰＮ型出力トランジスタＴＲ１のエミッタＥがグランドＧＮＤに接続されている。
【００１７】
図３の構成は、図１のデジタル信号入力回路１０の前記入力端子７に対して、リミットスイッチ等の出力側に設けられたＰＮＰ型出力トランジスタＴＲ２のコレクタＣが接続され、このＰＮＰ型出力トランジスタＴＲ２のエミッタＥが電源電圧Ｖｃｃに接続されている。
【００１８】
前述の構成において、図２の構成の場合、前記フォトカプラ２が双方向受信型であるため、前記入力端子７に対してＮＰＮ型出力トランジスタＴＲ１が接続されていることにより、リミットスイッチ等の信号がオンの時は、前記電源電圧Ｖｃｃから第１抵抗６、フォトカプラ２、入力端子７及びＮＰＮ型出力トランジスタＴＲ１を経てグランドＧＮＤへの経路で電流が流れるためフォトカプラ２がオンとなる。
また、リミットスイッチ等からの信号がオフの時は、信号はオープン状態となるため、フォトカプラ２には電流が流れず、オフとなる。
【００１９】
また、図３のようにＰＮＰ型出力トランジスタＴＲ２を用いた場合、リミットスイッチ等の信号がオンの時、入力端子７、フォトカプラ２、一端側３、第２抵抗２１及びグランドＧＮＤの経路で電流が流れてフォトカプラ２がオンとなる。
また、リミットスイッチ等からの信号がオフの時は、信号がオープン状態となるため、フォトカプラ２には電流が流れずオフとなる。
従って、図２及び図３の何れの場合も、リミットスイッチ等の出力の信号がオンの時は、フォトカプラ２がオンとなり、信号がオフの時はフォトカプラ２がオフとなる。
【産業上の利用可能性】
【００２０】
本発明によるデジタル信号入力回路は、フォトカプラの発光素子体の一方の端子に接続された１個のみの共通の入力端子に、ＮＰＮ型及びＰＮＰ型出力トランジスタの何れからの出力信号も入力できることである。
【符号の説明】
【００２１】
１    受光素子
２    フォトカプラ
３    一端側
５    他端側
６    第１抵抗
７    入力端子
２０    発光素子体
２１    第２抵抗
２１ａ    入力端
Ｄ１，Ｄ２    発光素子
Ｖｃｃ    電源電圧
ＧＮＤ    グランド
ＴＲ１    ＮＰＮ型出力トランジスタ
ＴＲ２    ＰＮＰ型出力トランジスタ
【図１】
2014086518.tif 000003
【図２】
2014086518.tif 000004
【図３】
2014086518.tif 000005
【図４】
2014086518.tif 000006
【図５】
2014086518.tif 000007
【図６】
2014086518.tif 000008